(57)【要約】      （修正有）【課題】試薬容器を効率的に収容する試薬ディスクを備える自動分析装置を提供する。【解決手段】開口部から試薬容器を収容することにより該試薬容器を保持する容器保持部３１，３２を有する試薬ディスク３を備え、容器保持部３１，３２は、試薬ディスク３の回転中心３ｃ側に複数配置された内周側保持部３１と、試薬ディスク３の外周側に複数配置された外周側保持部３２と、を有し、内周側保持部３１の開口部の形状に外周側保持部３２の開口部の形状を重ね合わせると、外周側保持部３２の開口部を構成する辺のうちの一辺３２ａおよびその両側の二辺３２ｂ，３２ｃは、内周側保持部３１の開口部を構成する辺のうちの一辺３１ａおよびその両側の二辺３１ｂ，３１ｃと重なり、外周側保持部３２の開口部の面積は、内周側保持部３１の開口部の面積よりも小さい。【選択図】図２
2014178266.tif 000002
【特許請求の範囲】
【請求項１】
開口部から試薬容器を収容することにより該試薬容器を保持する容器保持部を有する試薬ディスクを備え、
前記容器保持部は、
前記試薬ディスクの回転中心側に複数配置された内周側保持部と、
前記試薬ディスクの外周側に複数配置された外周側保持部と、を有し、
前記内周側保持部の開口部の形状に前記外周側保持部の開口部の形状を重ね合わせると、前記外周側保持部の開口部を構成する辺のうちの一辺およびその両側の二辺は、前記内周側保持部の開口部を構成する辺のうちの一辺およびその両側の二辺と重なり、
前記外周側保持部の開口部の面積は、前記内周側保持部の開口部の面積よりも小さい
ことを特徴とする自動分析装置。
【請求項２】
前記内周側保持部の開口部の形状は、三角形若しくは台形、または、面取りされた三角形若しくは台形であり、
前記外周側保持部の開口部の形状は、台形、または、面取りされた台形である
ことを特徴とする請求項１に記載の自動分析装置。
【請求項３】
前記内周側保持部の開口部を構成する辺のうちの一辺は、三角形の底辺または台形の長い方の底辺であり、
前記外周側保持部の開口部を構成する辺のうちの一辺は、台形の長い方の底辺である
ことを特徴とする請求項２に記載の自動分析装置。
【請求項４】
前記内周側保持部の開口部の形状は、
前記試薬ディスクの周方向の幅が前記回転中心側になるほど狭くなる
ことを特徴とする請求項１に記載の自動分析装置。
【請求項５】
前記外周側保持部の開口部の形状は、
前記試薬ディスクの周方向の幅が該試薬ディスクの外周側になるほど狭くなる
ことを特徴とする請求項１に記載の自動分析装置。
【請求項６】
前記外周側保持部の開口部の形状は、
前記試薬ディスクの周方向の幅が該試薬ディスクの外周側になるほど広くなる
ことを特徴とする請求項１に記載の自動分析装置。
【請求項７】
前記外周側保持部の開口部の形状と同一形状の開口部を有する補助保持部材を更に有し、
前記補助保持部材を第１の位置に配置すると、
上方視して、前記外周側保持部の開口部は、前記補助保持部材の開口部と一致し、
前記補助保持部材を第２の位置に配置すると、
上方視して、前記補助保持部材の開口部を構成する辺のうちの一辺およびその両側の二辺は、前記内周側保持部の開口部を構成する辺のうちの一辺およびその両側の二辺と一致する
ことを特徴とする請求項１に記載の自動分析装置。
【請求項８】
前記補助保持部材は、前記試薬ディスクの板面に着脱自在に構成され、
前記補助保持部材を取り付ける向きを変更することにより、前記第１の位置と前記第２の位置を切り替える
ことを特徴とする請求項７に記載の自動分析装置。
【請求項９】
前記補助保持部材は、ヒンジ機構を有し、
該ヒンジ機構により、前記第１の位置と前記第２の位置を切り替える
ことを特徴とする請求項７に記載の自動分析装置。
【発明の詳細な説明】
【技術分野】
【０００１】
本発明は、自動分析装置に係わり、特に、試薬容器を収容する試薬ディスクを備える自動分析装置に関する。
【背景技術】
【０００２】
血液、尿等の生体試料（検体）中の特定成分の分析を行う自動分析装置は、特定成分と反応し光学的特性が変化する試薬を用いて、試薬と試料の反応液の光学的特性の変化を測定することにより、あるいは、特定成分と特異的に反応する標識を有する試薬を用いて、標識の数をカウントすることにより、定性・定量分析を自動化した装置である。このような自動分析装置において、測定項目毎に使用する試薬が異なり、測定項目によっては２種類あるいは３種類の試薬を使用して分析を行うようになっている。このため、自動分析装置は、試薬が充填された複数の試薬容器を収容する試薬ディスクを備えている。なお、試薬ディスクは、試薬の劣化、蒸発等を防ぐために、保冷機能を有する試薬庫に設けられている。
【０００３】
自動分析装置では、装置の小型化、処理能力の高速化、検体・試料微量化等が求められている。一方で、試薬に関しては収容数が多い方が望ましく、一般的に、自動分析装置は試薬容器を収容する試薬ディスクを１つないし２つ備えている。
【０００４】
特許文献１（特開２０１０−１０１７２６号公報）には、１つの回転トレイ（ディスク）に検体容器と試薬容器を収容することにより、省スペース化する生化学自動分析装置が開示されている。また、特許文献２（特開２００９−２８８０９４号公報）には、２つの試薬ディスクを上下に重ねて配置することにより、省スペース化と試薬の収容数を増加する自動分析装置が開示されている。また、特許文献３（特開２０１０−１８１４２３号公報）には、反応ディスクの中と外にそれぞれ試薬ディスクを設け、装置サイズを大きくすることなく試薬収容数を増やした自動分析装置が開示されている。
【先行技術文献】
【特許文献】
【０００５】
【特許文献１】特開２０１０−１０１７２６号公報
【特許文献２】特開２００９−２８８０９４号公報
【特許文献３】特開２０１０−１８１４２３号公報
【発明の概要】
【発明が解決しようとする課題】
【０００６】
しかしながら、特許文献１に開示された生化学自動分析装置では、１つのディスクに検体容器と試薬容器を収容するため、省スペース化を実現することができるが、試薬専用のディスクでないため、試薬収容数を増やすという点では懸念がある。特許文献２，３に開示された自動分析装置では、試薬専用のディスクを２つ備えているため、試薬収容数を増やすことができるが、構成部品が増えるため、高価になる。
【０００７】
また、試薬によっては、使用頻度が少なかったり、１回の測定に用いる量が少なかったりするものもある。このため、ランニングコスト等の面から、自動分析装置は少容量の試薬容器を収容できることも求められている。
【０００８】
そこで、本発明は、試薬容器を効率的に収容する試薬ディスクを備える自動分析装置を提供することを課題とする。
【課題を解決するための手段】
【０００９】
このような課題を解決するために、本発明は、開口部から試薬容器を収容することにより該試薬容器を保持する容器保持部を有する試薬ディスクを備え、前記容器保持部は、前記試薬ディスクの回転中心側に複数配置された内周側保持部と、前記試薬ディスクの外周側に複数配置された外周側保持部と、を有し、前記内周側保持部の開口部の形状に前記外周側保持部の開口部の形状を重ね合わせると、前記外周側保持部の開口部を構成する辺のうちの一辺およびその両側の二辺は、前記内周側保持部の開口部を構成する辺のうちの一辺およびその両側の二辺と重なり、前記外周側保持部の開口部の面積は、前記内周側保持部の開口部の面積よりも小さいことを特徴とする自動分析装置である。
【発明の効果】
【００１０】
本発明によれば、試薬容器を効率的に収容する試薬ディスクを備える自動分析装置を提供することができる。
【図面の簡単な説明】
【００１１】
【図１】第１実施形態に係る自動分析装置の構成概略図である。
【図２】第１実施形態に係る自動分析装置が備える試薬ディスクの上面図である。
【図３】第１実施形態に係る自動分析装置に用いられる試薬容器の形状を説明する斜視図であり、（ａ）は第１試薬容器、（ｂ）は第２試薬容器である。
【図４】第１実施形態に係る自動分析装置が備える試薬ディスクの容器保持部に試薬容器を収容した状態の部分拡大上面図であり、（ａ）は内周側保持部に第１試薬容器を収容し外周側保持部に第２試薬容器を収容した状態であり、（ｂ）は内周側保持部および外周側保持部に第２試薬容器を収容した状態である。
【図５】第１実施形態に係る自動分析装置が備える試薬ディスクの部分拡大上面図である。
【図６】第２実施形態に係る自動分析装置が備える試薬ディスクの部分拡大上面図である。
【図７】第３実施形態に係る自動分析装置が備える試薬ディスクの容器保持部に試薬容器を収容した状態の部分拡大斜視図であり、内周側保持部に第１試薬容器を収容し外周側保持部に第２試薬容器を収容した状態である。
【図８】第３実施形態に係る自動分析装置が備える試薬ディスクの容器保持部に試薬容器を収容した状態の部分拡大斜視図であり、内周側保持部および外周側保持部に第２試薬容器を収容した状態である。
【図９】第４実施形態に係る自動分析装置が備える試薬ディスクの容器保持部に試薬容器を収容した状態の部分拡大斜視図であり、内周側保持部に第１試薬容器を収容し外周側保持部に第２試薬容器を収容した状態である。
【図１０】第５実施形態に係る自動分析装置が備える試薬ディスクの容器保持部に試薬容器を収容した状態の部分拡大斜視図であり、内周側保持部および外周側保持部に第２試薬容器を収容した状態である。
【発明を実施するための形態】
【００１２】
以下、本発明を実施するための形態（以下「実施形態」という）について、適宜図面を参照しながら詳細に説明する。なお、各図において、共通する部分には同一の符号を付し重複した説明を省略する。
【００１３】
≪第１実施形態≫
＜自動分析装置＞
第１実施形態に係る自動分析装置１について、図１を用いて説明する。図１は、第１実施形態に係る自動分析装置１の構成概略図である。
【００１４】
自動分析装置１は、反応ディスク２と、試薬ディスク３と、検体ディスク４と、試薬分注機構５と、試薬シリンジ６と、検体分注機構７と、検体シリンジ８と、反応槽９と、攪拌機構（図示せず）と、光度計１０と、洗浄機構１１と、制御部１２と、を備えている。
【００１５】
反応ディスク２には、検体と試薬を混合、攪拌させる反応容器１３が複数架設されている。反応ディスク駆動部１４は、反応ディスク２を回転・停止させることにより、反応容器１３を一定サイクルで繰り返し移送することができるようになっている。
【００１６】
試薬ディスク３には、試薬が充填された試薬容器１５（図３を用いて後述する試薬容器１５Ａ，１５Ｂ）が複数架設されている。試薬ディスク駆動部（図示せず）は、試薬ディスク３を回転・停止させることにより、試薬容器１５を一定サイクルで繰り返し移送することができるようになっている。
【００１７】
検体ディスク４には、検体が入れられた検体容器１６が複数架設されている。検体ディスク駆動部（図示せず）は、検体ディスク４を回転・停止させることにより、検体容器１６を一定サイクルで繰り返し移送することができるようになっている。
【００１８】
試薬分注機構５は、反応ディスク２と試薬ディスク３との間を回転移動し、試薬シリンジ６を介して試薬分注ノズル１７により試薬を反応容器１３へ分注することができるようになっている。
【００１９】
検体分注機構７は、反応ディスク２と検体ディスク４との間を回転移動し、検体シリンジ８を介して検体分注ノズル１８により検体を反応容器１３ヘ分注することができるようになっている。
【００２０】
反応槽９には、所定温度の反応槽水が循環しており、反応容器１３に分注された試薬と検体の反応液を所定温度とすることができるようになっている。攪拌機構（図示せず）は、反応容器１３に分注された試薬と検体の反応液を攪拌混合することができるようになっている。光度計１０は、反応容器１３で攪拌混合された検体と試薬の反応液の吸光度を測定することができるようになっている。洗浄機構１１は、測光後の反応容器１３内の洗浄を行うことができるようになっている。
【００２１】
制御部１２は、反応ディスク２（反応ディスク駆動部１４）、試薬ディスク３（試薬ディスク駆動部（図示せず））、検体ディスク４（検体ディスク駆動部（図示せず））、試薬分注機構５、試薬シリンジ６、検体分注機構７、検体シリンジ８、反応槽９、攪拌機構（図示せず）、光度計１０、洗浄機構１１を制御することにより、自動分析装置１の動作を統括制御することができるようになっている。
【００２２】
即ち、制御部１２は、検体ディスク４（検体ディスク駆動部（図示せず））を制御して測定に用いる検体が入れられた検体容器１６を所定の分注位置に移動させ、反応ディスク２（反応ディスク駆動部１４）を制御して反応容器１３を所定の分注位置に移動させ、検体分注機構７および検体シリンジ８を制御して検体を反応ディスク２の反応容器１３に分注する。
【００２３】
また、制御部１２は、試薬ディスク３（試薬ディスク駆動部（図示せず））を制御して測定に用いる試薬が充填された試薬容器１５を所定の分注位置に移動させ、反応ディスク２（反応ディスク駆動部１４）を制御して検体が分注された反応容器１３を所定の分注位置に移動させ、試薬分注機構５および試薬シリンジ６を制御して試薬を反応ディスク２の反応容器１３に分注する。
【００２４】
制御部１２は、反応ディスク２（反応ディスク駆動部１４）を制御して検体と試薬が分注された反応容器１３を所定の攪拌位置に移動させ、攪拌機構（図示せず）を制御して反応容器１３に分注された試薬と検体の反応液を攪拌混合する。また、制御部１２は、反応槽９の反応槽水の温度を制御することにより、反応容器１３の反応液の温度を制御する。
【００２５】
制御部１２は、反応ディスク２（反応ディスク駆動部１４）を制御して反応液が入れられた反応容器１３を所定の計測位置に移動させ、光度計１０により反応液の吸光度を測定する。そして、制御部１２は、反応ディスク２（反応ディスク駆動部１４）を制御して測定が終了した反応容器１３を所定の洗浄位置に移動させ、洗浄機構１１を制御して反応容器１３を洗浄する。
【００２６】
このように、自動分析装置１は、検体の定性・定量分析を自動化して行うことができるようになっている。
【００２７】
＜試薬ディスク・試薬容器＞
次に、試薬容器１５を保持する試薬ディスク３について、図２を用いて更に説明する。図２は、第１実施形態に係る自動分析装置１が備える試薬ディスク３の上面図である。
【００２８】
試薬ディスク３は、試薬ディスク駆動部（図示せず）と接続されており、試薬ディスク３の回転中心３ｃを中心として回転することができるようになっている。なお、試薬ディスク３は、試薬の劣化、蒸発等を防ぐために、保冷機能を有する試薬庫３０の内部に配置されている。
【００２９】
試薬ディスク３は、試薬ディスク３の回転中心３ｃから放射状に、試薬容器１５（後述する図３を用いて説明する試薬容器１５Ａ，１５Ｂ）を収容可能な内周側保持部３１と、試薬容器１５（後述する図３を用いて説明する試薬容器１５Ｂ）を収容可能な外周側保持部３２と、が複数個設けられている。図２に示すように、試薬ディスク３の径方向について、試薬ディスク３の回転中心３ｃ側に内周側保持部３１が形成され、試薬ディスク３の外周側に外周側保持部３２が形成されている。また、内周側保持部３１および外周側保持部３２は、それぞれ周方向に複数個設けられている。
【００３０】
内周側保持部３１は、開口部に試薬容器１５（後述する図３を用いて説明する試薬容器１５Ａ，１５Ｂ）を収容することにより、三角柱形状または台形柱形状の試薬容器１５を架設して保持することができるようになっている。内周側保持部３１の開口部の形状は、周方向の幅が試薬ディスク３の回転中心３ｃ側になるほど狭くなる三角形または台形に形成されている。図２に示す内周側保持部３１の開口部は、三角形（二等辺三角形）に形成されており、底辺（外周側の辺，周方向に伸びる辺，径方向と交差する辺）３１ａおよび等辺（径方向に伸びる辺，周方向と交差する辺）３１ｂ，３１ｃで形成されている。
【００３１】
外周側保持部３２は、開口部に試薬容器１５（後述する図３を用いて説明する試薬容器１５Ｂ）を収容することにより、台形柱形状の試薬容器１５を保持することができるようになっている。外周側保持部３２の開口部の形状は、周方向の幅が試薬ディスク３の外周側になるほど狭くなる台形に形成されている。図２に示す外周側保持部３２の開口部は、台形（等脚台形）に形成されており、下底辺（内周側の辺，周方向に伸びる辺のうち内周側，径方向と交差する辺のうち内周側、長い方の底辺）３２ａ、脚の辺（径方向に伸びる辺，周方向と交差する辺）３２ｂ，３２ｃおよび上底辺（外周側の辺，周方向に伸びる辺のうち外周側，径方向と交差する辺のうち外周側、短い方の底辺）３２ｄで形成されている。
【００３２】
なお、図２に示すように、内周側保持部３１の開口部および外周側保持部３２の開口部は、角部において面取り（フィレット）処理されているものを例として説明するが、面取り処理されていなくてもよい。
【００３３】
ここで、内周側保持部３１の開口部の面積は、外周側保持部３２の開口部の面積よりも大きく、内周側保持部３１の開口部を形成する底辺３１ａ、等辺３１ｂ、等辺３１ｃと、外周側保持部３２の開口部の下底辺３２ａ、脚の辺３２ｂ、脚の辺３２ｃとが、重なる構造を有している。即ち、内周側保持部３１の開口部の形状と、外周側保持部３２の開口部の形状とを重ね合わせると、内周側保持部３１の底辺３１ａと外周側保持部３２の下底辺３２ａが一致し、内周側保持部３１の等辺３１ｂの一部と外周側保持部３２の脚の辺３２ｂが一致し、内周側保持部３１の等辺３１ｃの一部と外周側保持部３２の脚の辺３２ｃが一致するようになっている。
【００３４】
換言すれば、内周側保持部３１の開口部の形状（三角形または台形）の底辺３１ａの長さと、外周側保持部３２の開口部の形状（台形）の下底辺３２ａの長さが等しく、内周側保持部３１の開口部の形状（三角形または台形）の底角と、外周側保持部３２の開口部の形状（台形）の底角が等しくなっている。そして、外周側保持部３２の開口部の形状（台形）の脚の辺３２ｂ，３２ｃの長さは、内周側保持部３１の開口部の形状の等辺３１ｂ，３１ｃ（三角形の場合、内周側保持部３１の開口部の形状が台形の場合は脚の辺）の長さよりも短くなっている。
【００３５】
なお、内周側保持部３１の開口部が、角部において面取り（フィレット）処理されている場合、底角とは、面取り（フィレット）処理される前の底角である。または、底辺３１ａの直線部を延伸し、等辺３１ｂ，３１ｃの直線部を延伸して、延伸した直線が交差して得られる角である。また、外周側保持部３２の開口部が、角部において面取り（フィレット）処理されている場合、底角とは、面取り（フィレット）処理される前の底角である。または、下底辺３２ａの直線部を延伸し、脚の辺３２ｂ，３２ｃの直線部を延伸して、延伸した直線が交差して得られる角である。
【００３６】
更に換言すれば、外周側保持部３２の開口部の形状は、内周側保持部３１の開口部の形状から幅の狭い側を取り除いた形状となっている。また、更に換言すれば、内周側保持部３１の開口部の形状は、外周側保持部３２の開口部の形状の脚の辺３２ｂ，３２ｃを延伸した形状となっている。
【００３７】
次に、試薬ディスク３の内周側保持部３１および外周側保持部３２に収容して保持される試薬容器１５（１５Ａ，１５Ｂ）について、図３を用いて説明する。図３は、第１実施形態に係る自動分析装置１に用いられる試薬容器の形状を説明する斜視図であり、（ａ）は第１試薬容器１５Ａ、（ｂ）は第２試薬容器１５Ｂである。
【００３８】
図３（ａ）に示すように、第１試薬容器１５Ａは、外形が三角柱形状または台形柱形状の容器であり、試薬分注ノズル１７（図１参照）を挿入して、第１試薬容器１５Ａの内部に充填された試薬を分注するための開口部１５Ａｏが設けられている。また、第１試薬容器１５Ａは、試薬ディスク３の内周側保持部３１に収容することができる形状となっている。即ち、第１試薬容器１５Ａは、試薬ディスク３の内周側保持部３１と同様に、上面視して、三角形または台形に形成されている。図３（ａ）に示す第１試薬容器１５Ａの外形は上面視して、三角形（二等辺三角形）に形成されており、底辺１５Ａａおよび等辺１５Ａｂ，１５Ａｃで形成されている。なお、図３（ａ）に示すように、第１試薬容器１５Ａは、角部において面取り（フィレット）処理されているものを例として説明するが、試薬ディスク３の内周側保持部３１の開口部が面取り処理されていなければ、第１試薬容器１５Ａも面取り処理されていなくてもよい。
【００３９】
図３（ｂ）に示すように、第２試薬容器１５Ｂは、外形が台形柱形状の容器であり、試薬分注ノズル１７（図１参照）を挿入して、第２試薬容器１５Ｂの内部に充填された試薬を分注するための開口部１５Ｂｏが設けられている。また、第２試薬容器１５Ｂは、試薬ディスク３の外周側保持部３２に収容することができる形状となっている。即ち、第２試薬容器１５Ｂは、試薬ディスク３の外周側保持部３２と同様に、上面視して、台形に形成されている。図３（ｂ）に示す第２試薬容器１５Ｂの外形は上面視して、台形（等脚台形）に形成されており、下底辺１５Ｂａ、脚の辺１５Ｂｂ，１５Ｂｃおよび上底辺１５Ｂｄで形成されている。なお、図３（ｂ）に示すように、第２試薬容器１５Ｂは、角部において面取り（フィレット）処理されているものを例として説明するが、試薬ディスク３の外周側保持部３２の開口部が面取り処理されていなければ、第２試薬容器１５Ｂも面取り処理されていなくてもよい。
【００４０】
ここで、上面視して、第１試薬容器１５Ａの外形の面積は、第２試薬容器１５Ｂの外形の面積よりも大きく、第１試薬容器１５Ａの外形を形成する底辺１５Ａａ、等辺１５Ａｂ、等辺１５Ａｃと、第２試薬容器１５Ｂの下底辺１５Ｂａ、脚の辺１５Ｂｂ、脚の辺１５Ｂｃとが、重なる構造を有している。即ち、上面視して、第１試薬容器１５Ａの外形と、第２試薬容器１５Ｂの外形とを重ね合わせると、第１試薬容器１５Ａの底辺１５Ａａと第２試薬容器１５Ｂの下底辺１５Ｂａが一致し、第１試薬容器１５Ａの等辺１５Ａｂの一部と第２試薬容器１５Ｂの脚の辺１５Ｂｂが一致し、第１試薬容器１５Ａの等辺１５Ａｃの一部と第２試薬容器１５Ｂの脚の辺１５Ｂｃが一致するようになっている。
【００４１】
換言すれば、上面視して、第１試薬容器１５Ａの外形（三角形または台形）の底辺１５Ａａの長さと、第２試薬容器１５Ｂの外形（台形）の下底辺１５Ｂａの長さが等しく、第１試薬容器１５Ａの外形（三角形または台形）の底角と、第２試薬容器１５Ｂの外形（台形）の底角が等しくなっている。そして、第２試薬容器１５Ｂの外形（台形）の脚の辺１５Ｂｂ，１５Ｂｃの長さは、第１試薬容器１５Ａの外形の等辺１５Ａｂ，１５Ａｃ（三角形の場合、第１試薬容器１５Ａの外形が台形の場合は脚の辺）の長さよりも短くなっている。
【００４２】
なお、第１試薬容器１５Ａが、角部において面取り（フィレット）処理されている場合、底角とは、面取り（フィレット）処理される前の底角である。または、底辺１５Ａａの直線部を延伸し、等辺１５Ａｂ，１５Ａｃの直線部を延伸して、延伸した直線が交差して得られる角である。また、第２試薬容器１５Ｂが、角部において面取り（フィレット）処理されている場合、底角とは、面取り（フィレット）処理される前の底角である。または、下底辺１５Ｂａの直線部を延伸し、脚の辺１５Ｂｂ，１５Ｂｃの直線部を延伸して、延伸した直線が交差して得られる角である。
【００４３】
更に換言すれば、第２試薬容器１５Ｂの外形の形状は、第１試薬容器１５Ａの外形の形状から幅の狭い側を取り除いた形状となっている。また、更に換言すれば、上面視して、第１試薬容器１５Ａの外形の形状は、第２試薬容器１５Ｂの外形の形状の脚の辺１５Ｂｂ，１５Ｂｃを延伸した形状となっている。
【００４４】
図４は、第１実施形態に係る自動分析装置１が備える試薬ディスク３の容器保持部（３１，３２）に試薬容器（１５Ａ，１５Ｂ）を収容した状態の部分拡大上面図であり、（ａ）は内周側保持部３１に第１試薬容器１５Ａを収容し外周側保持部３２に第２試薬容器１５Ｂを収容した状態であり、（ｂ）は内周側保持部３１および外周側保持部３２に第２試薬容器１５Ｂを収容した状態である。
【００４５】
図４（ａ）に示すように、第１実施形態に係る自動分析装置１の試薬ディスク３は、第１試薬容器１５Ａを内周側保持部３１に収容して保持することができるようになっており、第２試薬容器１５Ｂを外周側保持部３２に収容して保持することができるようになっている。これにより、第１実施形態に係る自動分析装置１は、試薬ディスク３の大きさの増加を抑えつつ、試薬ディスク３に収容可能な試薬容器１５の数を増加させる、即ち、試薬収容数を増加させることができる。
【００４６】
また、図４（ｂ）に示すように、第１実施形態に係る自動分析装置１の試薬ディスク３は、第２試薬容器１５Ｂを内周側保持部３１に収容して保持することができるようになっている。例えば、使用頻度が少なかったり、１回の測定に用いる量が少なかったりする試薬を第１試薬容器１５Ａよりも容量が小さい第２試薬容器１５Ｂに充填し、外周側保持部３２だけでなく内周側保持部３１にも収容して保持することができる。これにより、第１実施形態に係る自動分析装置１は、従来の自動分析装置と比較して、試薬の収容数を増加させることができるとともに、ランニングコストの面で優れる。
【００４７】
第２試薬容器１５Ｂを内周側保持部３１に収容して保持した状態における第２試薬容器１５Ｂの開口部１５Ｂｏの位置（図４（ｂ）参照）と、第１試薬容器１５Ａを内周側保持部３１に収容して保持した状態における第１試薬容器１５Ａの開口部１５Ａｏの位置（図４（ａ）参照）とは、同位置に配置されるようになっている。
【００４８】
また、第２試薬容器１５Ｂの形状は外周側保持部３２の開口部から収納して保持される形状となっており、外周側保持部３２の開口部の形状は外周側保持部３２の開口部の下底辺３２ａ、脚の辺３２ｂ、脚の辺３２ｃが内周側保持部３１の開口部の底辺３１ａ、等辺３１ｂ、等辺３１ｃと重なるように形成されており、内周側保持部３１の開口部の形状は周方向の幅が試薬ディスク３の回転中心３ｃ側になるほど狭くなる三角形または台形に形成されている。これにより、第１試薬容器１５Ａよりも容量が小さい第２試薬容器１５Ｂを内周側保持部３１に収容しても、試薬ディスク３の回転中心３ｃ側に倒れこむことなく保持され、内周側保持部３１で保持された第２試薬容器１５Ｂの開口部１５Ｂｏの位置（図４（ｂ）参照）を固定することができる。これにより、試薬分注ノズル１７（図１参照）を挿入して、試薬容器１５の内部に充填された試薬を分注する際の分注位置を等しくすることができる。
【００４９】
以上のように、第１実施形態に係る自動分析装置１によれば、試薬ディスク３に試薬容器１５（１５Ａ，１５Ｂ）を効率的に収容することができる。
【００５０】
≪第２実施形態≫
次に、第１実施形態に係る自動分析装置１と対比しつつ、第２実施形態に係る自動分析装置１について説明する。図５は、第１実施形態に係る自動分析装置１が備える試薬ディスク３の部分拡大上面図である。図６は、第２実施形態に係る自動分析装置１が備える試薬ディスク３Ａの部分拡大上面図である。
【００５１】
第１実施形態に係る自動分析装置１の試薬ディスク３は、図２，５に示すように、外周側保持部３２の開口部の形状の周方向の幅が試薬ディスク３の外周側になるほど狭くなる台形に形成されている。
【００５２】
これに対し、第２実施形態に係る自動分析装置１の試薬ディスク３Ａは、図６に示すように、外周側保持部３２Ａの開口部の形状の周方向の幅が試薬ディスク３Ａの外周側になるほど広くなる台形に形成されている。即ち、外周側保持部３２Ａの開口部は、台形（等脚台形）に形成されており、下底辺３２ａ、脚の辺３２ｂ，３２ｃおよび上底辺３２ｄで形成され、外周側に長い方の底辺である下底辺３２ａが配置され、回転中心３ｃの側に短い方の底辺である上底辺３２ｄが配置されるようになっている。その他の構成は、第１実施形態に係る自動分析装置１と同様であり、説明を省略する。
【００５３】
このような第２実施形態に係る自動分析装置１でも、第１実施形態に係る自動分析装置１と同様に、試薬ディスク３Ａに試薬容器１５（１５Ａ，１５Ｂ）を効率的に収容することができる。
【００５４】
ところで、自動分析装置１の試薬ディスク３，３Ａにおいて、試薬容器１５（１５Ａ，１５Ｂ）の収容場所を識別するため、試薬ディスク３，３Ａの空きスペースに、各容器保持部（内周側保持部３１，外周側保持部３２，３２Ａ）と対応するように各ポジション番号が記されている。内周側保持部３１のポジション番号は、図５および図６に示すように、回転中心３ｃの側の空きスペースＭ０に記すことができる。
【００５５】
図５に示す第１実施形態に係る自動分析装置１の試薬ディスク３において、外周側保持部３２は放射状に配置されているため、外周側ほど隣接する外周側保持部３２との間のスペースも大きくなっている。さらに、外周側保持部３２は、外周側になるほど狭くなる台形に形成されている。このため、外周側保持部３２のポジション番号は、隣接する外周側保持部３２との間のスペースの外周側の位置である空きスペースＭ１に記すことができる。
【００５６】
一方、図６に示す第２実施形態に係る自動分析装置１の試薬ディスク３Ａにおいて、隣接する外周側保持部３２Ａとの間のスペースの外周側の位置である空きスペースＭ２は、外周側保持部３２Ａが外周側になるほど広くなる台形に形成されているため、図５に示す第１実施形態に係る自動分析装置１の試薬ディスク３の空きスペースＭ１と比較して、狭くなっている。また、隣接する外周側保持部３２Ａとの間のスペースの内周側の位置である空きスペースＭ３では、内周側保持部３１のポジション番号と間違えるおそれがある。また、外周側保持部３２Ａの外周側に空きスペースＭ４を設けると、試薬ディスク３Ａの径を大きくする必要が生じる。
【００５７】
このように、外周側保持部３２，３２Ａのポジション番号を付す位置を考慮すると、第１実施形態に係る自動分析装置１が好ましい。
【００５８】
≪第３実施形態≫
次に、第３実施形態に係る自動分析装置１について説明する。図７は、第３実施形態に係る自動分析装置１が備える試薬ディスク３の容器保持部（３１，３２）に試薬容器（１５Ａ，１５Ｂ）を収容した状態の部分拡大斜視図であり、内周側保持部３１に第１試薬容器１５Ａを収容し外周側保持部３２に第２試薬容器１５Ｂを収容した状態である。図８は、第３実施形態に係る自動分析装置１が備える試薬ディスク３の容器保持部（３１，３２）に試薬容器（１５Ａ，１５Ｂ）を収容した状態の部分拡大斜視図であり、内周側保持部３１および外周側保持部３２に第２試薬容器１５Ｂを収容した状態である。
【００５９】
第３実施形態に係る自動分析装置１の試薬ディスク３は、第１実施形態に係る自動分析装置１の試薬ディスク３に加えて、内周側保持部３１と外周側保持部３２の間に設けられた凸部３３と、凸部３３と嵌合する凹穴３４ｅを有する嵌めこみ部材３４と、を備えている。その他の構成は、第１実施形態に係る自動分析装置１と同様であり、説明を省略する。
【００６０】
試薬ディスク３の凸部３３と嵌めこみ部材３４の凹穴３４ｅとを、嵌合／解除することにより、嵌めこみ部材３４は試薬ディスク３に着脱することができるようになっている。嵌めこみ部材３４には、開口部が形成されている。嵌めこみ部材３４の開口部は、台形（等脚台形）に形成されており、下底辺３４ａ、脚の辺３４ｂ，３４ｃおよび上底辺３４ｄで形成されている。なお、図７および図８に示すように、嵌めこみ部材３４の開口部は、角部において面取り（フィレット）処理されているものを例として説明するが、面取り処理されていなくてもよい。また、嵌めこみ部材３４は、開口部の下底辺３４ａの外側に、凸部３３と嵌合する凹穴３４ｅが形成されている。
【００６１】
また、図７および図８に示すように、容器保持部（３１，３２）の深さは、試薬容器（１５Ａ，１５Ｂ）の高さより浅くなっており、試薬容器（１５Ａ，１５Ｂ）を容器保持部（３１，３２）に収容した際、試薬容器（１５Ａ，１５Ｂ）の側面の上部が、試薬ディスク３の板面より突出するようになっている。
【００６２】
ここで、嵌めこみ部材３４の開口部の形状と外周側保持部３２の開口部の形状は、重なる構造を有している。
【００６３】
図７に示すように、嵌めこみ部材３４の開口部が凹穴３４ｅよりも試薬ディスク３の外周側になる向きで、凸部３３に凹穴３４ｅを嵌合させると、上方視して、嵌めこみ部材３４の下底辺３４ａと外周側保持部３２の下底辺３２ａ（図２参照）が一致し、嵌めこみ部材３４の脚の辺３４ｂと外周側保持部３２の脚の辺３２ｂ（図２参照）が一致し、嵌めこみ部材３４の脚の辺３４ｃと外周側保持部３２の脚の辺３２ｃ（図２参照）が一致し、嵌めこみ部材３４の上底辺３４ｄと外周側保持部３２の上底辺３２ｄ（図２参照）が一致するようになっている。
【００６４】
図７に示すように、嵌めこみ部材３４の開口部が凹穴３４ｅよりも試薬ディスク３の外周側になる向きで、嵌めこみ部材３４を取り付けることにより、内周側保持部３１に第１試薬容器１５Ａを収容し保持することができる。また、嵌めこみ部材３４の開口部を介して外周側保持部３２に第２試薬容器１５Ｂを収容し保持することができる。このように、嵌めこみ部材３４は、外周側保持部３２に第２試薬容器１５Ｂを収容することを妨げることがないようになっている。
【００６５】
ここで、上方視して、第１試薬容器１５Ａの外形（底辺１５Ａａおよび等辺１５Ａｂ，１５Ａｃで形成される三角形）と、内周側保持部３１の開口部の形状（底辺３１ａおよび等辺３１ｂ，３１ｃで形成される三角形）とは、完全には一致せず、製作誤差や着脱容易性を考慮して、アソビが設けられている。即ち、第１試薬容器１５Ａの外形は、内周側保持部３１の開口部の形状よりも若干小さくなる。このため、内周側保持部３１に収容された第１試薬容器１５Ａにはガタが生じることとなるが、第１試薬容器１５Ａの開口部１５Ａｏは、ガタを考慮して形成されており、分注時には、試薬分注ノズル１７（図１参照）を開口部１５Ａｏに挿入することができるようになっている。
【００６６】
同様に、上方視して、第２試薬容器１５Ｂの外形（下底辺１５Ｂａ、脚の辺１５Ｂｂ，１５Ｂｃおよび上底辺１５Ｂｄで形成される台形）と、外周側保持部３２の開口部の形状（下底辺３２ａ、脚の辺３２ｂ，３２ｃおよび上底辺３２ｄで形成される台形）とは、完全には一致せず、製作誤差や着脱容易性を考慮して、アソビが設けられている。即ち、第２試薬容器１５Ｂの外形は、外周側保持部３２の開口部の形状よりも若干小さくなる。このため、外周側保持部３２に収容された第２試薬容器１５Ｂにはガタが生じることとなるが、第２試薬容器１５Ｂの開口部１５Ｂｏは、ガタを考慮して形成されており、分注時には、試薬分注ノズル１７（図１参照）を開口部１５Ｂｏに挿入することができるようになっている。
【００６７】
また、図８に示すように、嵌めこみ部材３４の開口部が凹穴３４ｅよりも試薬ディスク３の回転中心３ｃ（図２参照）側になる向きで、凸部３３に凹穴３４ｅを嵌合させると、上方視して、嵌めこみ部材３４の下底辺３４ａと内周側保持部３１の下底辺３１ａ（図２参照）が一致し、嵌めこみ部材３４の脚の辺３４ｂと内周側保持部３１の等辺３１ｂ（図２参照）の一部が一致し、嵌めこみ部材３４の脚の辺３４ｃと内周側保持部３１の等辺３１ｃ（図２参照）の一部が一致するようになっている。
【００６８】
図８に示すように、嵌めこみ部材３４の開口部が凹穴３４ｅよりも試薬ディスク３の回転中心３ｃ（図２参照）側になる向きで、嵌めこみ部材３４を取り付けることにより、外周側保持部３２に第２試薬容器１５Ｂを収容し保持することができる。また、内周側保持部３１に第２試薬容器１５Ｂを収容し保持する際、嵌めこみ部材３４の開口部を介して第２試薬容器１５Ｂが収容され、嵌めこみ部材３４の開口部（下底辺３４ａ、脚の辺３４ｂ，３４ｃおよび上底辺３４ｄ）が第２試薬容器１５Ｂの側面上側で保持するようになっている。
【００６９】
ここで、前記したように、第２試薬容器１５Ｂの外形は、アソビを考慮して、外周側保持部３２の開口部の形状よりも若干小さく製作されている。内周側保持部３１の形状は、外周側保持部３２の形状よりも回転中心３ｃ（図２参照）側に延伸した形状となっているため、第２試薬容器１５Ｂを内周側保持部３１に収容した際の試薬ディスク３の径方向のガタは、第２試薬容器１５Ｂを外周側保持部３２に収容した際のガタよりも大きくなる。このため、試薬分注ノズル１７（図１参照）を開口部１５Ｂｏに挿入することができなくなることが想定される。なお、アソビの量が同じでも、内周側保持部３１の開口部の三角形の底角が大きくなる（９０°に近づく）ほど、内周側保持部３１に収容した第２試薬容器１５Ｂの径方向のガタも大きくなる。試薬ディスク３の周方向に配置する内周側保持部３１の数を増やすほど、内周側保持部３１の三角形の頂角は小さく、底角は大きくなるため、複数の内周側保持部３１を有する試薬ディスク３では、より問題となる。
【００７０】
これに対し、第３実施形態に係る自動分析装置１の試薬ディスク３は、第２試薬容器１５Ｂが嵌めこみ部材３４の開口部に挿入され第２試薬容器１５Ｂの側面上側で保持されることにより、第１試薬容器１５Ａよりも容量が小さい第２試薬容器１５Ｂを内周側保持部３１に収容しても、試薬ディスク３の回転中心３ｃ側に大きく倒れこむことなく保持される。これにより、第２試薬容器１５Ｂを嵌めこみ部材３４の開口部を介して内周側保持部３１に収容した際のガタは、第２試薬容器１５Ｂを外周側保持部３２に収容した際のガタと同程度となる。よって、分注時には、試薬分注ノズル１７（図１参照）を開口部１５Ｂｏに挿入することができる。
【００７１】
また、嵌めこみ部材３４は、内周側保持部３１に第１試薬容器１５Ａを収容する際（図７参照）にも、内周側保持部３１に第２試薬容器１５Ｂを収容する際（図８参照）にも、試薬ディスク３の板面に取り付けられた状態であり、別所に嵌めこみ部材３４を保管する手間や、別所に保管された嵌めこみ部材３４を持参する手間を削減し、作業性を向上させることができる。
【００７２】
≪第４実施形態≫
次に、第４実施形態に係る自動分析装置１について説明する。図９は、第４実施形態に係る自動分析装置１が備える試薬ディスク３Ａの容器保持部（３１，３２Ａ）に試薬容器（１５Ａ，１５Ｂ）を収容した状態の部分拡大斜視図であり、内周側保持部３１に第１試薬容器１５Ａを収容し外周側保持部３２Ａに第２試薬容器１５Ｂを収容した状態である。
【００７３】
第４実施形態に係る自動分析装置１の試薬ディスク３Ａは、第２実施形態に係る自動分析装置１の試薬ディスク３Ａ（図６参照）に加えて、内周側保持部３１と外周側保持部３２Ａの間に設けられた凸部３３と、凸部３３と嵌合する凹穴３４ｅ，３４ｆを有する嵌めこみ部材３４Ａと、を備えている。その他の構成は、第２実施形態に係る自動分析装置１と同様であり、説明を省略する。
【００７４】
試薬ディスク３Ａの凸部３３と嵌めこみ部材３４の凹穴３４ｅ，３４ｆとを、嵌合／解除することにより、嵌めこみ部材３４Ａは試薬ディスク３Ａに着脱することができるようになっている。嵌めこみ部材３４Ａには、第３実施形態の嵌めこみ部材３４（図７，８参照）と同様に開口部（下底辺３４ａ、脚の辺３４ｂ，３４ｃおよび上底辺３４ｄ）が形成されている。また、嵌めこみ部材３４Ａは、開口部の下底辺３４ａの外側に凸部３３と嵌合する凹穴３４ｅが形成され、開口部の上底辺３４ｄの外側に凸部３３と嵌合する凹穴３４ｆが形成されている。
【００７５】
図９に示すように、嵌めこみ部材３４Ａの開口部が凹穴３４ｆよりも試薬ディスク３Ａの外周側になる向きで、凸部３３に凹穴３４ｆを嵌合させることにより、内周側保持部３１に第１試薬容器１５Ａを収容し保持することができる。また、嵌めこみ部材３４Ａの開口部を介して外周側保持部３２Ａに第２試薬容器１５Ｂを収容し保持することができる。このように、嵌めこみ部材３４Ａは、外周側保持部３２Ａに第２試薬容器１５Ｂを収容することを妨げることがないようになっている。
【００７６】
また、図示は省略するが、嵌めこみ部材３４Ａの開口部が凹穴３４ｅよりも試薬ディスク３Ａの回転中心３ｃ（図２参照）側になる向きで、凸部３３に凹穴３４ｅを嵌合させることにより、図８の場合と同様に、外周側保持部３２Ａに第２試薬容器１５Ｂを収容し保持することができる。また、内周側保持部３１に第２試薬容器１５Ｂを収容し保持する際、嵌めこみ部材３４Ａの開口部を介して第２試薬容器１５Ｂが収容され、嵌めこみ部材３４Ａの開口部（下底辺３４ａ、脚の辺３４ｂ，３４ｃおよび上底辺３４ｄ）が第２試薬容器１５Ｂの側面上側で保持するようになっている。
【００７７】
このように、外周側保持部３２Ａの開口部の形状の周方向の幅が試薬ディスク３Ａの外周側になるほど広くなる台形に形成されている場合にも、第３実施形態に係る自動分析装置１と同様に、内周側保持部３１で保持された第２試薬容器１５Ｂの開口部１５Ｂｏ（図３（ｂ）参照）の位置を固定することができる。
【００７８】
≪第５実施形態≫
次に、第５実施形態に係る自動分析装置１について説明する。図１０は、第５実施形態に係る自動分析装置１が備える試薬ディスク３の容器保持部（３１，３２）に試薬容器（１５Ａ，１５Ｂ）を収容した状態の部分拡大斜視図であり、内周側保持部３１および外周側保持部３２に第２試薬容器１５Ｂを収容した状態である。
【００７９】
第５実施形態に係る自動分析装置１の試薬ディスク３は、第１実施形態に係る自動分析装置１の試薬ディスク３に加えて、内周側保持部３１と外周側保持部３２の径方向の対称位置軸３４ｇで回動可能なヒンジ部材３４Ｂを備えている。その他の構成は、第１実施形態に係る自動分析装置１と同様であり、説明を省略する。
【００８０】
ヒンジ部材３４Ｂには、第３実施形態の嵌めこみ部材３４（図７，８参照）と同様に開口部（下底辺３４ａ、脚の辺３４ｂ，３４ｃおよび上底辺３４ｄ）が形成されている。
【００８１】
図１０に示すように、ヒンジ部材３４Ｂの開口部が対称位置軸３４ｇよりも回転中心３ｃ（図２参照）側になるように配置することにより（この状態のヒンジ部材３４Ｂを実線で示す）、ヒンジ部材３４Ｂの開口部を介して第２試薬容器１５Ｂが収容され、ヒンジ部材３４Ｂの開口部（下底辺３４ａ、脚の辺３４ｂ，３４ｃおよび上底辺３４ｄ）が第２試薬容器１５Ｂの側面上側で保持するようになっている。
【００８２】
また、ヒンジ部材３４Ｂの開口部が対称位置軸３４ｇよりも外周側になるように配置することにより（この状態のヒンジ部材３４Ｂを二点鎖線で示す）、内周側保持部３１に第１試薬容器１５Ａを収容し保持することができる。また、ヒンジ部材３４Ｂの開口部を介して外周側保持部３２に第２試薬容器１５Ｂを収容し保持することができる。このように、ヒンジ部材３４Ｂは、外周側保持部３２に第２試薬容器１５Ｂを収容することを妨げることがないようになっている。
【００８３】
このように、第５実施形態に係る自動分析装置１は、ヒンジ部材３４Ｂをどちらかに倒すだけで設置可能であり、嵌めこみ部材３４，３４Ａを脱着する第３，４実施形態に係る自動分析装置１と比較して、作業性を向上させることができる。
【００８４】
≪変形例≫
なお、本実施形態に係る自動分析装置１は、前記実施形態（第１〜５実施形態）の構成に限定されるものではなく、発明の趣旨を逸脱しない範囲内で種々の変更が可能である。
【００８５】
自動分析装置１は、検体容器１６を架設する検体ディスク４を備えるものとして説明したが、これに限られるものではなく、検体容器１６を架設する検体ラックと、検体ラックを搬送する搬送機構と、を備える自動分析装置であってもよい。
【００８６】
内周側保持部３１の開口部の形状は、三角形または台形であるものとして説明したが、これに限られるものではなく、底辺３１ａを曲線（円弧）とした扇形であってもよい。この場合、外周側保持部３２，３２Ａ、嵌めこみ部材３４，３４Ａ、ヒンジ部材３４Ｂの
下底辺３２ａ，３４ａも曲線（円弧）となる。もっとも、内周側保持部３１および外周側保持部３２，３２Ａを配置する際、円弧とした分だけ試薬ディスク３，３Ａの径が大きくなるため、前記実施形態（第１〜５実施形態）のように、底辺３１ａ、下底辺３２ａ、３４ａを直線とすることが好ましい。
同様に、内周側保持部３１の開口部を形成する等辺３１ｂ，３１ｃ、外周側保持部３２，３２Ａの開口部を形成する脚の辺３２ｂ，３２ｃも曲線であってもよい。もっとも、試薬ディスク３，３Ａに内周側保持部３１および外周側保持部３２，３２Ａを効率的に配置するためには、前記実施形態（第１〜５実施形態）のように、直線とすることが好ましい。
【符号の説明】
【００８７】
１                  自動分析装置
３，３Ａ            試薬ディスク
３ｃ                回転中心
５                  試薬分注機構
６                  試薬シリンジ
１５                試薬容器
１５Ａ              第１試薬容器（試薬容器）
１５Ａａ            底辺
１５Ａｂ，１５Ａｃ  等辺
１５Ａｏ            開口部
１５Ｂ              第２試薬容器（試薬容器）
１５Ｂａ            下底辺
１５Ｂｂ，１５Ｂｃ  脚の辺
１５Ｂｄ            上底辺
１５Ｂｏ            開口部
１７                試薬分注ノズル
３０                試薬庫
３１                内周側保持部（容器保持部）
３１ａ              底辺
３１ｂ，３１ｃ      等辺
３２，３２Ａ        外周側保持部（容器保持部）
３２ａ              下底辺
３２ｂ，３２ｃ      脚の辺
３２ｄ              上底辺
３３                凸部
３４，３４Ａ        嵌めこみ部材（補助保持部材）
３４Ｂ              ヒンジ部材（補助保持部材）
３４ａ              下底辺
３４ｂ，３４ｃ      脚の辺
３４ｄ              上底辺
３４ｅ，３４ｆ      凹穴
３４ｇ              対称位置軸
【図１】
2014178266.tif 000003
【図２】
2014178266.tif 000004
【図３】
2014178266.tif 000005
【図４】
2014178266.tif 000006
【図５】
2014178266.tif 000007
【図６】
2014178266.tif 000008
【図７】
2014178266.tif 000009
【図８】
2014178266.tif 000010
【図９】
2014178266.tif 000011
【図１０】
2014178266.tif 000012